(57)【要約】  【課題】  Ｇコード（登録商標）等のような番組コードを利用しつつも操作部の煩瑣な操作を行なう必要なしにテレビ番組の予約録画が可能であり、しかも記録媒体を装置に装着した場合に直ちにその記録媒体に録画されている番組の内容が判明するテレビ番組録画装置及び録画に使用される記録媒体を提供する。  【解決手段】  テレビジョン放送の番組を一意に特定する番組コードを入力することにより、着脱可能なディスク媒体１にテレビジョン番組の予約録画を行なう装置であって、ディスク媒体１には番組予約情報コードが記されており、このディスク媒体１が装着される際にその表面に記された番組予約情報コードがラインセンサ９で読み取られ、この結果に基づいてＣＰＵ７が予約録画を設定する。【選択図】      図２
2005260698.tif 000002
【特許請求の範囲】
【請求項１】
テレビジョン放送の番組を一意に特定する番組コードを入力することにより、着脱可能な記録媒体にテレビジョン番組を予約録画するテレビ番組録画装置において、
記録媒体が装着される際に前記記録媒体の表面に記されている番組コードを読み取るコード読み取り手段と、
該コード読み取り手段による読み取り結果に基づいて予約録画を設定する番組予約手段と
を備えたことを特徴とするテレビ番組録画装置。
【請求項２】
前記コード読み取り手段は、
記録媒体が装着される際に前記記録媒体の表面の画像を光学的に読み取る画像読み取り手段と、
該画像読み取り手段が読み取った画像から番組コードを文字認識して文字コード化する文字認識手段と
を備えたことを特徴とする請求項１に記載のテレビ番組録画装置。
【請求項３】
装着された記録媒体から読み取った番組コードに従って設定された予約録画が終了した場合に、予約録画した番組に関する情報を当該番組の番組コードをキーとして記憶する記憶手段を更に備えたことを特徴とする請求項１又は２に記載のテレビ番組録画装置。
【請求項４】
装着された記録媒体から読み取った番組コードをキーとして前記記憶手段を検索する検索手段と、
該検索手段による検索の結果、一致する番組コードが記憶されていた場合に当該番組コードをキーとして記憶されている情報を表示する表示手段と
を備えたことを特徴とする請求項１乃至３のいずれかひとつに記載のテレビ番組録画装置。
【請求項５】
前記表示手段に表示された情報を再生すべき番組として指定するための再生番組指定手段と、
該再生番組指定手段により指定された情報に該当する番組を記録媒体から再生する再生手段と
を備えたことを特徴とする請求項１乃至４のいずれかひとつに記載のテレビ番組録画装置。
【請求項６】
記録媒体の表面には番組コードと共に、予約録画の方法を特定する付帯コードが記されており、
前記番組予約手段は、装着された記録媒体から読み取った付帯コードに応じた方法で予約録画を設定するようにしてあること
を特徴とする請求項１乃至５のいずれかひとつに記載のテレビ番組録画装置。
【請求項７】
前記記録媒体がディスク媒体であり、そのレーベル面に番組コードが、又は番組コード及び付帯コードが記されていることを特徴とする請求項１乃至６のいずれかひとつに記載のテレビ番組録画装置。
【請求項８】
テレビジョン放送の番組を一意に特定する番組コードが入力されることにより予約録画を行なう録画装置に着脱可能であり、前記録画装置に装着された場合に録画が行なわれる記録媒体において、
前記録画装置に予約録画を設定させるべく、前記録画装置に装着される際に読み取られるように番組コードが表面に記されていることを特徴とする記録媒体。
【請求項９】
番組コードと共に、予約録画の方法を特定する付帯コードが記されていること特徴とする請求項８に記載の記録媒体。
【請求項１０】
ディスク媒体であり、そのレーベル面に番組コードが、又は番組コード及び付帯コードが記されていることを特徴とする請求項８又は９に記載の記録媒体。
【発明の詳細な説明】
【技術分野】
【０００１】
本発明はテレビジョン放送の番組を一意に特定するたとえばＧコード（登録商標）等のような番組コードを利用したテレビ番組の録画装置及び録画に使用される記録媒体に関し、より具体的には番組コードを従来のように人手でキー入力する必要がないテレビ番組の録画装置及び録画に使用される記録媒体に関する。
【背景技術】
【０００２】
従来のビデオデッキ等の録画装置でテレビジョン放送の番組を予約録画するためには、録画装置に付属する操作部（操作パネル又はリモートコントロール装置）に配列されている種々のキー，ボタンを人手で操作して番組の開始及び終了時刻，チャンネルを個別に入力するか、またはＧコード（登録商標）と称される番組コードを録画装置に入力するかのいずれかの操作が必要であった。
【０００３】
Ｇコード（登録商標）を利用する場合は番組の開始及び終了時刻，チャンネルを個別に入力する操作方法に比して各段に簡便であるが、それでもやはり録画装置に付属する操作部に配列されている種々のキー，ボタンを人手で操作して、新聞の番組欄等に記載されている個々の番組に一意に付与されているコード（１乃至８桁の数字列）を入力する操作が必要であり、特に機械操作が苦手なユーザには煩瑣であった。
【０００４】
なお、従来の磁気テープを記録媒体としたビデオカセットの場合は、録画を行なう際に挿入されているカセットを識別し、識別結果とそのカセットに録画を行なった場合の番組の情報とを対応付けて録画装置側に記憶しておき、新たにカセットが録画装置に装着された際にもそのカセットを識別し、識別結果と対応付けて番組の情報が記憶されている場合にはその情報を表示する技術が知られている（たとえば特許文献１参照）。
【特許文献１】特開平７−２１７４８号公報
【発明の開示】
【発明が解決しようとする課題】
【０００５】
一方、近年では従来の磁気テープ（ビデオカセット）に代えてＤＶＤ等のディスク媒体にテレビ番組を録画すると共に再生することも可能なＤＶＤレコーダと称される装置も普及している。ところで、このようなＤＶＤレコーダを使用してＤＶＤ等のディスク媒体にテレビ番組を録画した場合、メニュー表示により録画内容を表示させることができるが、そのためにはユーザがＤＶＤレコーダに付属する操作部（操作パネル又はリモートコントロール装置）に配列されている種々のキー，ボタンを操作して番組のタイトル等を予めディスク媒体に入力しておく必要がある。
【０００６】
しかも、ＤＶＤ等のディスク媒体を記録媒体として使用するＤＶＤレコーダ等の録画装置では、ディスク媒体が装置に装着された時点からメニュー画面の表示が可能になるまでにはある程度の時間、即ちディスク媒体に記録されている情報を装置が読み込むための時間が必要であり、ユーザはその間の時間を無駄に待機させられることになる。
【０００７】
本発明は以上のような事情に鑑みてなされたものであり、Ｇコード（登録商標）等のような番組コードを利用しつつも操作部の煩瑣な操作を行なう必要なしにテレビ番組の予約録画が可能なテレビ番組録画装置及び録画に使用される記録媒体の提供を目的とする。
【０００８】
また本発明は、記録媒体を装置に装着した場合に直ちにその記録媒体に録画されている番組の内容が判明するテレビ番組録画装置及び録画に使用される記録媒体の提供を目的とする。
【０００９】
更に本発明は、記録媒体を装置に装着した場合に直ちにその記録媒体に録画されている番組の内容が判明すると共に、判明した内容に従って番組を再生することが可能なテレビ番組録画装置及び録画に使用される記録媒体の提供を目的とする。
【００１０】
また更に本発明は、予約録画する番組そのものの他に、たとえば毎週同一の曜日の同一の時間帯等のような番組の予約方法の指定も同時に行なえるテレビ番組録画装置及び録画に使用される記録媒体の提供を目的とする。
【課題を解決するための手段】
【００１１】
本発明に係るテレビ番組録画装置は、テレビジョン放送の番組を一意に特定する番組コードを入力することにより、着脱可能な記録媒体にテレビジョン番組を予約録画するテレビ番組録画装置において、記録媒体が装着される際に前記記録媒体の表面に記されている番組コードを読み取るコード読み取り手段と、該コード読み取り手段による読み取り結果に基づいて予約録画を設定する番組予約手段とを備えたことを特徴とする。
【００１２】
このような本発明に係るテレビ番組録画装置では、記録媒体が装着される際に記録媒体の表面に記された番組コードが読み取られ、この読み取られた結果に基づいて予約録画が設定される。
【００１３】
また本発明に係るテレビ番組録画装置は上述の発明において、前記コード読み取り手段は、記録媒体が装着される際に前記記録媒体の表面の画像を光学的に読み取る画像読み取り手段と、該画像読み取り手段が読み取った画像から番組コードを文字認識して文字コード化する文字認識手段とを備えたことを特徴とする。
【００１４】
このような本発明に係るテレビ番組録画装置では上述の発明において、記録媒体が装着される際に記録媒体の表面の画像をコード読み取り手段が光学的に読み取り、この読み取られた画像から番組コードが文字認識されて文字コード化される。
【００１５】
更に本発明に係るテレビ番組録画装置は上述の各発明において、装着された記録媒体から読み取った番組コードに従って設定された予約録画が終了した場合に、予約録画した番組に関する情報を当該番組の番組コードをキーとして記憶する記憶手段を更に備えたことを特徴とする。
【００１６】
このような本発明に係るテレビ番組録画装置では上述の各発明において、装着された記録媒体から読み取った番組コードに従って設定された予約録画が終了した場合に、予約録画した番組に関する情報が当該番組の番組コードをキーとして記憶される。
【００１７】
また更に本発明に係るテレビ番組録画装置は上述の各発明において、装着された記録媒体から読み取った番組コードをキーとして前記記憶手段を検索する検索手段と、該検索手段による検索の結果、一致する番組コードが記憶されていた場合に当該番組コードをキーとして記憶されている情報を表示する表示手段とを備えたことを特徴とする。
【００１８】
このような本発明に係るテレビ番組録画装置では上述の各発明において、装着された記録媒体から読み取った番組コードをキーとして記憶手段の記憶内容が検索され、この検索の結果、一致する番組コードが記憶されていた場合にはその番組コードをキーとして記憶されている情報が表示される。
【００１９】
また更に本発明に係るテレビ番組録画装置は上述の各発明において、前記表示手段に表示された情報を再生すべき番組として指定するための再生番組指定手段と、該再生番組指定手段により指定された情報に該当する番組を記録媒体から再生する再生手段とを備えたことを特徴とする。
【００２０】
このような本発明に係るテレビ番組録画装置では上述の各発明において、表示手段に表示された情報が再生すべき番組として指定された場合に、指定された情報に該当する番組が記録媒体から読み出されて再生される。
【００２１】
更にまた本発明に係るテレビ番組録画装置は上述の各発明において、記録媒体の表面には番組コードと共に、予約録画の方法を特定する付帯コードが記されており、前記番組予約手段は、装着された記録媒体から読み取った付帯コードに応じた方法で予約録画を設定するようにしてあることを特徴とする。
【００２２】
このような本発明に係るテレビ番組録画装置では上述の各発明において、記録媒体の表面には番組コードと共に、予約録画の方法を特定する付帯コードが記されており、装着された記録媒体から読み取った番組コードで特定される番組の予約録画を付帯コードに応じた方法で番組予約手段により設定される。
【００２３】
また更に本発明に係るテレビ番組録画装置は上述の各発明において、前記記録媒体がディスク媒体であり、そのレーベル面に番組コードが、又は番組コード及び付帯コードが記されていることを特徴とする。
【００２４】
このような本発明に係るテレビ番組録画装置では上述の各発明において、記録媒体がディスク媒体であり、そのレーベル面に番組コードが、又は番組コード及び付帯コードが記されており、装着時にレーベル面が読み取られる。
【００２５】
また本発明に係る記録媒体は、テレビジョン放送の番組を一意に特定する番組コードが入力されることにより予約録画を行なう録画装置に着脱可能であり、前記録画装置に装着された場合に録画が行なわれる記録媒体において、前記録画装置に予約録画を設定させるべく、前記録画装置に装着される際に読み取られるように番組コードが表面に記されていることを特徴とする。
【００２６】
このような本発明の記録媒体では、録画装置に装着される際に読み取られるように番組コードが表面に記されており、これを読み取ることにより録画装置が予約録画を設定する。
【００２７】
また本発明に係る記録媒体は上述の発明において、番組コードと共に、予約録画の方法を特定する付帯コードが記されていること特徴とする。
【００２８】
このような本発明の記録媒体では上述の発明において、番組コードと共に、予約録画の方法を特定する付帯コードが記されており、これらを読み取ることにより録画装置が番組コードで特定される番組の予約録画を付帯コードで特定された方法で設定する。
【００２９】
また更に本発明に係る記録媒体は上述の各発明において、ディスク媒体であり、そのレーベル面に番組コードが、又は番組コード及び付帯コードが記されていることを特徴とする。
【００３０】
このような本発明の記録媒体では上述の各発明において、ディスク媒体である記録媒体のレーベル面に番組コードが、又は番組コード及び付帯コードが記されており、録画装置への装着時にレーベル面が読み取られる。
【発明の効果】
【００３１】
上述のような本発明に係るテレビ番組録画装置によれば、記録媒体が装着される際に記録媒体の表面に記された番組コードが読み取られ、この読み取られた結果に基づいて予約録画が設定されるので、操作部（操作パネル又はリモートコントロール装置）に配列されている種々のキー，ボタンを人手で操作して番組コードを入力する必要がなくなる。
【００３２】
また本発明に係るテレビ番組録画装置によれば上述の発明において、記録媒体が装着される際に記録媒体の表面の画像をコード読み取り手段が光学的に読み取り、この読み取られた画像から番組コードが文字認識されて文字コード化されるので、種々の方法で記録媒体に番組コードを記すことが可能になる。
【００３３】
更に本発明に係るテレビ番組録画装置によれば上述の各発明において、装着された記録媒体から読み取った番組コードに従って設定された予約録画が終了した場合に、予約録画した番組に関する情報が当該番組の番組コードをキーとして記憶されるので、録画された番組の情報を表示部等に表示させることが可能になる。
【００３４】
また更に本発明に係るテレビ番組録画装置によれば上述の各発明において、装着された記録媒体から読み取った番組コードをキーとして記憶手段の記憶内容が検索され、この検索の結果、一致する番組コードが記憶されていた場合にはその番組コードをキーとして記憶されている情報が表示されるので、装着した記録媒体に録画されている番組の内容を表示することが可能になる。
【００３５】
また更に本発明に係るテレビ番組録画装置によれば上述の各発明において、通常、テレビ番組録画装置は再生機能も備えているので、表示手段に表示された情報が再生すべき番組として指定された場合に、指定された情報に該当する番組が記録媒体から読み出されて再生されるので、記録媒体に録画されている番組に関する情報を記録媒体から読み出すことなしに番組を再生させることが可能になる。
【００３６】
更にまた本発明に係るテレビ番組録画装置によれば上述の各発明において、記録媒体の表面には番組コードと共に、予約録画の方法を特定する付帯コードが記されており、装着された記録媒体から読み取った番組コードで特定される番組の予約録画を付帯コードに応じた方法で番組予約手段により設定されるので、番組の設定のみならずたとえば毎週同一曜日の同一時間帯等のような予約録画方法が設定可能になる。
【００３７】
また更に本発明に係るテレビ番組録画装置によれば上述の各発明において、記録媒体がディスク媒体であり、そのレーベル面に番組コードが、又は番組コード及び付帯コードが記されており、装着時にレーベル面が読み取られるので、装着した記録媒体に録画されている番組の内容が記録媒体に記録されている情報を読み出すことなしに迅速に表示することが可能になる。
【００３８】
また本発明の記録媒体によれば、録画装置に装着される際に読み取られるように番組コードが表面に記されており、これを読み取ることにより録画装置が予約録画を設定するので、録画装置の操作部（操作パネル又はリモートコントロール装置）に配列されている種々のキー，ボタンを人手で操作して番組コードを入力する必要がなくなる。
【００３９】
また本発明の記録媒体によれば上述の発明において、番組コードと共に、予約録画の方法を特定する付帯コードが記されており、これらを読み取ることにより録画装置が番組コードで特定される番組の予約録画を付帯コードで特定された方法で設定するので、番組の設定のみならずたとえば毎週同一曜日の同一時間帯等のような予約録画方法が設定可能になる。
【００４０】
更にこのような本発明の記録媒体によれば上述の各発明において、ディスク媒体である記録媒体のレーベル面に番組コードが、又は番組コード及び付帯コードが記されており、録画装置への装着時にレーベル面が読み取られるので、録画装置い装着された場合に、録画されている番組の内容が記録媒体自身に記録されている情報を読み出すことなしに迅速に表示することが可能になる。
【発明を実施するための最良の形態】
【００４１】
以下、本発明を実施するための最良の形態を図面を参照して説明する。図１は本発明に係るテレビ番組録画装置（以下、本発明装置という）が録画に使用する本発明の記録媒体であるディスク媒体のレーベル面の状態を示す模式図である。
【００４２】
ディスク媒体１のレーベル面には複数（図１に示す例では２組）の番組予約情報コード１ａ，１ｂが記されている。これらの番組予約情報コード１ａ，１ｂは、たとえばディスク媒体１のレーベル面に印刷する（ディスク媒体のレーベル面への印刷が可能なプリンタで印刷する）、シールを貼付する（プリンタで印刷したシールを貼付する、またはテレビ番組の情報誌等にシールを添付し、それを貼付する）、更には手書きする、等の方法により記されている。
【００４３】
番組予約情報コード１ａ，１ｂの構成はその内容が「＃０１２３４５６７＠３３」である番組予約情報コード１ａを例にとると以下の通りである。最初の「＃」は本発明装置に番組予約情報コードであることを認識させるためのコード（以下、番組予約情報識別コードという）である。この番組予約情報識別コードは、本発明装置側に予め設定しておくことにより、「＃」に限らず他の記号であってもよい。
【００４４】
番組予約情報識別コード「＃」に続く８桁の数字は予約録画する番組を特定する番組コードであり、具体的にはＧコード（登録商標）である。Ｇコード（登録商標）は１乃至８桁の数字列で構成されており、番組を特定するための「日付」，「チャンネル」，「番組開始時刻」，「番組の長さ（時間）」の４種類の情報を数値化したコードである。なお、実際のＧコード（登録商標）は７桁以下の数字列である場合もあるが、本発明装置では７桁以下のＧコード（登録商標）には上位桁側に０を付加することによって全て８桁の数字列としている。
【００４５】
８桁の数字列の次の「＠」はＧコード（登録商標）の終了を示すと共にその後に続く２桁の数字が付帯情報を示す付帯コードであることを表す付帯情報識別コードである。この付帯情報識別コード「＠」に続く２桁の数字列で表される付帯コードは、Ｇコード（登録商標）で特定されて予約録画される番組を１回のみ録画するか、たとえば連続ドラマ等の毎週同一曜日（又は毎日，平日のみ等）の同一時間帯に放送される番組を連続して録画するか、等の設定を数値化した情報である。このような予約録画の方法は従来の一般的な録画装置においても可能な設定である。
【００４６】
なお、上述した番組予約情報識別コード，付帯情報識別コードは、本発明装置側に予め設定しておくことにより、「＃」，「＠」に限らず他の記号であってもよいし、複数の記号を組み合わせることにより信頼性を向上させることも可能である。また、Ｇコード（登録商標）に関しても本実施の形態では認識の信頼性を向上させるために上位桁に０を追加して８桁にしているが、必ずしもその必要はなく、７桁以下の桁数の数字列であってもよい。要は後述する本発明装置によって確実に読み取られることが重要である。また付帯情報識別コードに関しては本実施の形態では２桁としているが、任意の桁数を設定して利用してもよいことはいうまでもない。
【００４７】
また、上述の説明ではディスク媒体は裸の状態で使用されることを前提としているが、ケースに収納されているタイプ（たとえばＤＶＤ−ＲＡＭ等）では、ケースに番組予約情報コード１ａ，１ｂを記しておけばよい。
【００４８】
次に、本発明装置について説明する。図２は本発明装置の内部の機能構成を示す機能ブロック図である。なお、以下の本実施の形態では、本発明装置をＤＶＤ等のディスク媒体１にテレビジョン番組を録画し、またそのようなディスク媒体１に録画されているテレビジョン番組を再生することが可能ないわゆるＤＶＤレコーダに適用した場合について説明する。従って、図２には示していないが、本発明装置であるＤＶＤレコーダには予約録画機能を含む録画機能は勿論のこと、ディスク媒体１に録画されているテレビジョン番組を再生する機能も当然含まれている。
【００４９】
本発明装置（以下、ＤＶＤレコーダ３という）は、ディスク媒体１を載置するトレイ４、ディスク媒体１を載置したトレイ４がホームポジションに位置している際にディスク媒体１に情報を書き込み、またディスク媒体１から情報を読み出すための光ピックアップ５、ディスク媒体１を載置したトレイ４がホームポジションに位置している際にディスク媒体１を回転させるためのスピンドルモータ６、トレイ４をＤＶＤレコーダ３内部のホームポジション（図２にトレイ４が実線にて示されている位置）と、トレイ４上にディスク媒体１をユーザが載置するためにＤＶＤレコーダ３の外部へ突出するローディング位置（図２にトレイ４が一点鎖線にて示されている位置）との間で移動させるためのたとえばリニアモータ等を利用したトレイ駆動部４０等の機械的構成要素と、これらの機械的構成要素を制御し、また種々の情報，データを処理するための電子的構成要素とからなっている。
【００５０】
電子的構成要素は、主としてディスク媒体１上に記されている番組予約情報コード１ａ，１ｂを読み取り、それを識別子、解析するための識別解析構成要素と、これらの識別解析構成要素が識別し、解析した結果に基づいてＤＶＤレコーダ３を制御するためのＣＰＵ７を中心とする制御構成要素とに分かれる。
【００５１】
識別解析構成要素としては、ディスク媒体のレーベル面の画像を光学的に読み取るためのラインセンサ９，このラインセンサ９により光学的に読み取られた画像情報から文字画像を抽出してその傾きを補正する傾き補正部１０，傾き補正部１０で傾きを補正された文字画像を文字認識して文字コードのデータ列に変換する文字認識部１１，この文字認識部１１から出力される文字コードのデータ列中に番組予約情報識別コード「＃」が存在するか否かを検索すると共に、番組予約情報識別コード「＃」が存在する場合にはそれに続く８桁の数字列をＧコード（登録商標）として検出する番組予約情報識別コード検出部１２，文字認識部１１から出力される文字コードのデータ列中に付帯情報識別コード「＠」が存在するか否かを検索すると共に、付帯情報識別コード「＠」が存在する場合にはそれに続く２桁の数字列を付帯コードとして検出する付帯情報識別コード検出部１３等を含んでいる。
【００５２】
番組予約情報識別コード検出部１２及び付帯情報識別コード検出部１３により検出されたＧコード（登録商標）及び付帯コードはＣＰＵ７へ入力される。ＣＰＵ７には、チューナ８，Ｇコード解析部１５，表示部１６，操作部１７，書き換え可能なたとえばフラッシュメモリ等を利用した不揮発性メモリ１４，モータ／トレイ制御部１８等が接続されている。また、モータ／トレイ制御部１８には前述したスピンドルモータ６及びトレイ駆動部４０が接続されている。
【００５３】
図３はラインセンサ９とトレイ４、より具体的にはトレイ４上に載置されたディスク媒体１との位置関係を示す模式図である。ラインセンサ９はトレイ４上にユーザがディスク媒体１を載置するためにＤＶＤレコーダ３の外部へ突出した状態（図３に一点鎖線にて示す状態）からトレイ４がＤＶＤレコーダ３内のホームポジション（図３に実線で示す位置）へ戻る際に、換言すればトレイ４上に載置されたディスク媒体１がＤＶＤレコーダ３内へローディングされる際にディスク媒体１のレーベル面の全面をスキャン（読み取り）可能な状態でＤＶＤレコーダ３内のトレイ４の移動領域の上側に固定されている。従って、ラインセンサ９による読み取り範囲はトレイ４上に載置されたディスク媒体１を含み、ディスク媒体の外径と実質的に等しいか、または若干長い辺で囲繞された矩形の領域となる。
【００５４】
このようにしてラインセンサ９により得られた画像情報から番組予約情報識別コード，付帯情報識別コード，Ｇコード（登録商標）及び付帯コードを認識して文字コードに変換する技術そのものは従来公知であるので、それらに関する説明は省略する。
【００５５】
次に、上述のような構成の本発明装置の動作について、主としてＣＰＵ７による処理手順を示す図４及び図５に示す一連のフローチャートを参照して説明する。なお、以下に説明するフローチャートの処理手順は、図示しないＲＯＭ等の不揮発性の記憶装置に予め格納されている処理プログラム及び種々のデータに従ってＣＰＵ７により実行される。
【００５６】
ＣＰＵ７は、トレイ４が外部へ突出している状態から図１に示されているディスク媒体１を載置した状態でホームポジションへローディング（装入）されたか否かを判断している（ステップＳ１１）。ディスク媒体１が載置されたトレイ４がホームポジションへローディングされた場合（ステップＳ１１でＹＥＳ）、トレイ４がホームポジションにまで移動する間にラインセンサ９によりディスク媒体１のレーベル面の画像がスキャン（読み取り）され、傾き補正部１０により文字に対応する部分の画像の傾きが補正される（ステップＳ１２）。
【００５７】
次に、傾き補正部１０から出力された傾き補正済みの画像情報が文字認識部１１により文字認識されて文字コードに変換され（ステップＳ１３）、その結果の文字コード列が番組予約情報識別コード検出部１２へ送られる。なお、図１に示されているディスク媒体１には二組の番組予約情報コード１ａ，１ｂが記されているので、文字認識部１１はこれらの二組の番組予約情報コード１ａ，１ｂを個別に認識し、二組の文字コード列を番組予約情報識別コード検出部１２へ送る。
【００５８】
番組予約情報識別コード検出部１２では、文字認識部１１から送られてきた文字コード列中に番組予約情報識別コード「＃」が存在するか否か検索する（ステップＳ１４）。この検索の結果、番組予約情報識別コード検出部１２が番組予約情報識別コード「＃」を検出できなかった場合は（ステップＳ１４でＮＯ）、ＣＰＵ７はユーザが操作部１７を操作することにより何らかの指示が与えられるまで待機し、何らかの指示が与えられた場合にはその指示に対応した処理を実行する（ステップＳ１５）。
【００５９】
一方、番組予約情報識別コード検出部１２が番組予約情報識別コード「＃」を検出した場合（ステップＳ１４でＹＥＳ）、番組予約情報識別コード検出部１２は検出した番組予約情報識別コード「＃」に続く８桁のＧコード（登録商標）を認識する（ステップＳ１６）。なお、図１に示されているディスク媒体１には二組の番組予約情報コード１ａ，１ｂが記されているので、番組予約情報識別コード検出部１２はこれらの二組の番組予約情報コード１ａ，１ｂから認識された二組の文字コード列から個別にＧコード（登録商標）を認識する。
【００６０】
次に、付帯情報識別コード検出部１３では、文字認識部１１から送られてきた文字コード列中から付帯情報識別コード「＠」が存在するか否かを検索する（ステップＳ１７）。ここで、付帯情報識別コード検出部１３が付帯情報識別コード「＠」を検出できなかった場合は（ステップＳ１７でＮＯ）、ＣＰＵ７は後述するステップＳ１９へ処理をジャンプさせる。一方、付帯情報識別コード検出部１３が付帯情報識別コード「＠」を検出した場合（ステップＳ１７でＹＥＳ）、付帯情報識別コード検出部１３は検出した付帯情報識別コード「＠」に続く２桁の付帯コードを認識する（ステップＳ１８）。なお、図１に示されているディスク媒体１には二組の番組予約情報コード１ａ，１ｂが記されているので、付帯情報識別コード検出部１３はこれらの二組の番組予約情報コード１ａ，１ｂから認識された二組の文字コード列から個別に付帯情報識別コード「＠」を検出し、検出した付帯情報識別コード「＠」に続く二組の２桁の付帯コードを認識する。
【００６１】
以上により、ＤＶＤレコーダ３に装着されたディスク媒体１に記されている二組の番組予約情報コードの内容が認識されたので、ＣＰＵ７は不揮発性メモリ１４の記憶内容を検索し、ディスク媒体１から読み取って番組予約情報識別コード検出部１２が認識した番組予約情報コードに含まれるＧコード（登録商標）と同一のＧコード（登録商標）が既に記憶されているか否かを判断する（ステップＳ１９）。
【００６２】
ここで、不揮発性メモリ１４には何らの情報も記憶されていない初期状態であるとすると、番組予約情報識別コード検出部１２が認識したＧコード（登録商標）と同一のＧコード（登録商標）が不揮発性メモリ１４に記憶されていないので（ステップＳ１９でＮＯ）、ＣＰＵ７は装着されているディスク媒体１の未使用の容量（残容量）と番組予約情報識別コード検出部１２が認識した二組のＧコード（登録商標）に含まれる「番組の長さ（時間）」の情報とを比較することにより、ディスク媒体１の残容量に録画可能か否かを判断する（ステップＳ２０）。なお、Ｇコード（登録商標）の解析はＧコード解析部１５により行なわれるので、ＣＰＵ７は入力したＧコード（登録商標）を一旦Ｇコード解析部１５へ送ってその解析結果を受け取る。但し、ＣＰＵ７がＧコード（登録商標）の解析をソフトウェア的に行なうことも可能である。
【００６３】
ここで、ディスク媒体１の残容量に録画不可能であると判断された場合（ステップＳ２０でＮＯ）、ＣＰＵ７は表示部１６に「録画不可能」の警報を表示する（ステップＳ２１）。そして、ＣＰＵ７は何らかの操作、たとえばユーザによる操作部１７の操作、またはディスク媒体１の再ローディング等の操作が行なわれるまで待機する（ステップＳ２２でＮＯ）。何らかの操作が行なわれた場合には（ステップＳ２２でＹＥＳ）、ＣＰＵ７は行なわれた操作に対応する処理を実行する（ステップＳ２３）。
【００６４】
一方、ディスク媒体１の残容量に録画可能であると判断された場合（ステップＳ２０でＹＥＳ）、ＣＰＵ７は先に認識してＧコード解析部１５で解析したＧコード（登録商標）及び付帯コードの内容に応じて予約録画の設定内容を表示部１６に表示する（ステップＳ３１）。図６はこの場合の表示部１６の表示状態を示す模式図である。表示部１６の表示画面１６０にはＤＶＤレコーダ３に装着されているディスク媒体１に記されている番組予約情報コード１ａ，１ｂに対応する番組の情報が表示され、「実行」及び「変更」のソフトキーが表示される。ユーザが操作部１７又はリモートコントロール操作装置の「実行」キーをオンすればこの表示部１６の表示状態で予約録画が設定される。一方、「変更」キーをユーザが同様にオンすれば個々の番組について日時，録画開始時刻及び終了時刻，チャンネル等の設定を変更することが可能である。なお、このような操作は従来のＤＶＤレコーダは勿論のこと、ビデオカセットを使用するビデオデッキにおいても一般的に行なわれていることである。
【００６５】
このようにしてユーザはこの表示部１６に表示された予約録画の設定内容を確認し、操作部１７を操作して実行又は変更の操作を行なう（ステップＳ３２でＹＥＳ）。ＣＰＵ７はユーザが実行又は変更の操作を行なうまで待機している（ステップＳ３２でＮＯ）。実行の操作が行なわれた場合（ステップＳ３２でＹＥＳ，実行）、ＣＰＵ７は表示部１６に表示している条件で、即ちディスク媒体１に記されていた番組予約情報コード１ａ，１ｂの内容に従って予約録画の設定を行なう（ステップＳ３４）。一方、変更の操作が行なわれた場合（ステップＳ３２でＹＥＳ，変更）、ＣＰＵ７は表示部１６に表示している条件の変更を操作部１７の操作に応じて受け付け（ステップＳ３３でＹＥＳ）、受け付けた内容に従って予約録画の設定を行なう（ステップＳ３４）。
【００６６】
この後、ＣＰＵ７は予約録画が終了するまでは待機状態になる（ステップＳ３５でＮＯ）。予約録画が終了すると（ステップＳ３５でＹＥＳ）、ＣＰＵ７は終了した予約録画に関する情報、たとえばＧコード（登録商標）に含まれていた「日付」，「チャンネル」，「番組開始時刻」，「番組の長さ（時間）」等の情報をＧコード（登録商標）をキーとして不揮発性メモリ１４に記憶させる（ステップＳ３６）。
【００６７】
以上により、ディスク媒体１のレーベル面に記されている番組予約情報コード１ａ，１ｂに従って予約録画がそのディスク媒体１に自動的に行なわれると共に、終了した予約録画に関する情報が不揮発性メモリ１４に記憶される。
【００６８】
一方、先のステップＳ１９において、番組予約情報識別コード検出部１２が認識したＧコード（登録商標）と同一のＧコード（登録商標）が不揮発性メモリ１４に記憶されている場合は（ステップＳ１９でＹＥＳ）、ＣＰＵ７はそのＧコード（登録商標）をキーとして上述したような情報を不揮発性メモリ１４から読み出して表示部１６に表示する（ステップＳ４１）。この際、装着されたディスク媒体１は録画が出来ないディスクである旨の表示を同時に行なうことが望ましい。
【００６９】
図１に示すディスク媒体１には二組の番組予約情報コード１ａ，１ｂが記されているので、この場合には二つの録画済みの番組に関する情報が表示される。図７はこの場合の表示部１６の表示状態を示す模式図である。表示部１６の表示画面１６０にはＤＶＤレコーダ３に装着されているディスク媒体１に録画されている番組の情報が表示され、「再生」及び「メニュー」のソフトキーが表示される。ユーザが操作部１７又はリモートコントロール操作装置の「再生」キーをオンすれば強調表示されている（１）の番組が再生される。なお、強調表示されていない（２）の番組をユーザが再生したい場合は、操作部１７又はリモートコントロール操作装置のアップダウンキーのダウン操作により（２）の番組が強調表示される。このように、ユーザは表示部１６に表示された情報を確認し、操作部１７を操作して二つの番組の内のいずれかの再生を指示すると（ステップＳ４２でＹＥＳ）、ＣＰＵ７は指示された番組のデータをディスク媒体１から読み出して、図示しない再生機能に再生させる（ステップＳ４３）。
【００７０】
なお、ユーザが再生を望まない場合は、操作部１７又はリモートコントロール操作装置の「メニュー」キーを操作すれば、従来のこの種の装置では最初に表示されるメニュー画面が表示されるので、ユーザはメニュー画面上で所望の操作を選択して実行させることが可能になる。
【００７１】
なお、上述の実施の形態においては記録媒体はＤＶＤ等のディスク媒体である例について説明したが、旧来のビデオカセットを記録媒体として使用する場合にも、カセットの表面に番組予約情報コードを記しておくことにより本発明を適用することが可能である。また、本発明装置はＤＶＤレコーダとして構成されているが、ＨＤＤ（ハードディスクドライブ）を併用するタイプであってもよいし、ディスク媒体はＤＶＤに限らずＣＤ，ブルーレイディスク（登録商標）であってもよい。
【００７２】
また、上述の実施の形態においては付帯情報識別コードが記されておらず、番組予約情報識別コードのみが記されている場合にも、番組予約情報識別コードのみを読み取って予約録画を行なえることはいうまでもない。
【図面の簡単な説明】
【００７３】
【図１】本発明に係るテレビ番組録画装置が録画に使用する本発明の記録媒体であるディスク媒体のレーベル面の状態を示す模式図である。
【図２】本発明に係るテレビ番組録画装置であるＤＶＤレコーダの内部の機能構成を示す機能ブロック図である。
【図３】本発明に係るテレビ番組録画装置であるＤＶＤレコーダのラインセンサとトレイ上に載置されたディスク媒体との位置関係を示す模式図である。
【図４】本発明に係るテレビ番組録画装置であるＤＶＤレコーダの動作を説明するためのＣＰＵによる処理手順を示すフローチャートである。
【図５】本発明に係るテレビ番組録画装置であるＤＶＤレコーダの動作を説明するためのＣＰＵによる処理手順を示すフローチャートである。
【図６】本発明に係るテレビ番組録画装置であるＤＶＤレコーダの予約録画設定時の表示部の表示状態を示す模式図である。
【図７】本発明に係るテレビ番組録画装置であるＤＶＤレコーダの録画済みの番組に関する情報を表示部に表示した状態を示す模式図である。
【符号の説明】
【００７４】
１  ディスク媒体
１ａ，１ｂ  番組予約情報コード
３  ＤＶＤレコーダ
９  ラインセンサ
１０  傾き補正部
１１  文字認識部
１２  番組予約情報識別コード検出部
１３  付帯情報識別コード検出部
１４  不揮発性メモリ
１５  Ｇコード解析部
１６  表示部
１７  操作部
【図１】
2005260698.tif 000003
【図２】
2005260698.tif 000004
【図３】
2005260698.tif 000005
【図４】
2005260698.tif 000006
【図５】
2005260698.tif 000007
【図６】
2005260698.tif 000008
【図７】
2005260698.tif 000009